【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
筐体と、
前記筐体内に含まれるポンプと、
前記ポンプと流体連通する、前記ポンプ下流の分注アセンブリであって、前記分注アセンブリは、
弾性分注チャンバと、
前記分注チャンバの容積に関するパラメータを定量的に測定するためのセンサとを有し、前記ポンプは、サイクル毎に前記弾性分注チャンバを拡張するために、脈動的に流体を排出し、前記チャンバは、繰り返し流体を出口へ送達する、分注アセンブリと、
前記測定されたパラメータに基づいて前記ポンプの作動を制御するために、前記センサと前記ポンプとに連結された制御ループであって、前記測定されたパラメータに基づいて、前記出口を通して送達された流体の累積容積を決定する制御装置を含む、制御ループと
を含む、流体を分注するための装置。
【請求項２】
音響的に連続する領域内で気体を音響的に励起し、該領域内で音響応答を生じさせる音響エネルギ源であって、前記領域は、
前記分注チャンバに連結されるサブ領域であって、前記分注チャンバの容積変化により前記サブ領域の容積変化を生じさせる、サブ領域と、
プロセッサと
をさらに含み、
前記センサは、前記音響的に連続する領域内の第１の位置に載置され、前記音響応答に基づいて、電気信号を生成するための第１の音響変換器をさらに含み、
前記プロセッサは、前記第１の音響変換器と基準器とに連結され、前記音響応答に基づいて、前記サブ領域の容積変化に関する量を決定するための流量判断プロセスを実装する、請求項１に記載の装置。
【請求項３】
前記音響エネルギ源は、単一周波数で前記気体を励起し、前記第１の音響変換器によって生成される前記電気信号は、前記基準器に対し位相関係を有し、前記流量判断プロセスは、前記位相関係の時間的進化に基づいて、前記サブ領域の容積変化に関する量を決定する、請求項２に記載の装置。
【請求項４】
前記出口に連結された有限流体インピーダンスであって、前記弾性分注チャンバの拡張を可能にするために十分な大きさである、有限流体インピーダンスをさらに含む、請求項１に記載の装置。
【請求項５】
前記インピーダンスは、受動インピーダンスである、請求項４に記載の装置。
【請求項６】
前記受動インピーダンスは、導管を含む、請求項５に記載の装置。
【請求項７】
前記導管は、コイル状管を含む、請求項６に記載の装置。
【請求項８】
前記コイル状管は、少なくとも２つの転換点を含む、請求項７に記載の装置。
【請求項９】
前記導管は、蛇行形状を有する、請求項６に記載の装置。
【請求項１０】
前記導管は、前記流体の粘度および密度のうちの少なくとも１つに基づいて、所定のインピーダンスを提供するように選択された長さと内径とを有する、請求項６に記載の装置。
【請求項１１】
前記内径は、前記導管を流れる治療薬の流動による閉塞を防止するために十分な大きさを有する、請求項１０に記載の装置。
【請求項１２】
前記導管は、２ｃｍを超える長さを有する、請求項１１に記載の装置。
【請求項１３】
前記筐体は、最大寸法を有し、前記導管は、前記最大寸法を超える長さを有する、請求項６に記載の装置。
【請求項１４】
前記分注チャンバは、注入口を有し、前記導管は、前記分注チャンバ注入口の内径よりも小さい内径を有する、請求項６に記載の装置。
【請求項１５】
前記ポンプは、
流体源との流体連通を提供するための接続可能注入口と、ポンプ吐出口とを有するポンピングチャンバと、
圧縮ストロークを前記ポンピングチャンバに提供するように適合された加力アセンブリと
を含み、前記圧縮ストロークによって、前記ポンピングチャンバから前記注入口への流体の逆流を制限しながら、前記ポンピングチャンバから前記ポンプ吐出口へ流体を付勢する、請求項１に記載の装置。
【請求項１６】
前記加力アセンブリが、注入口弁アクチュエータと、ポンプアクチュエータとに連結されることによって、前記ポンプアクチュエータが前記ポンピングチャンバから前記ポンプ吐出口へ流体を付勢する場合、前記圧縮ストロークが、前記注入口と前記流体源との間に連結された注入口弁を作動し、前記弁を閉鎖する、請求項１５に記載の装置。
【請求項１７】
前記加力アセンブリは、前記弁アクチュエータと、前記ポンプアクチュエータと、前記弁アクチュエータおよび前記ポンプアクチュエータの協調動作のためのモータとに連結されたプレートを含む、請求項１６に記載の装置。
【請求項１８】
前記モータは、形状記憶アクチュエータを含む、請求項１７に記載の装置。
【請求項１９】
前記モータは、再利用可能部分内に嵌入するために、前記形状記憶アクチュエータを折曲するための少なくとも１つの滑車を含む、請求項１８に記載の装置。
【請求項２０】
前記ポンプの吐出口と流体源と流体連通し、前記ポンプによって排出された前記流体の一部を前記流体源に戻すことが可能なシャントラインをさらに含む、請求項１１に記載の装置。
【請求項２１】
前記流体源は、非加圧流体リザーバを含む、請求項２０に記載の装置。
【請求項２２】
前記制御ループは、前記測定されたパラメータに基づいて前記吐出口を通って送達される流体の累積容積を決定する制御装置をさらに含む、請求項１に記載の装置。
【請求項２３】
筐体と、
前記筐体内に含まれるポンプであって、前記ポンプは、
流体源と流体連通する注入口と、ポンプ吐出口とを含むポンピングチャンバと、
圧縮ストロークを前記ポンピングチャンバに提供する加力アセンブリであって、前記加力アセンブリを作動させることは、逆流を制限し、前記ポンピングチャンバを加圧するように作業ストロークの間に前記加力アセンブリの移動を用いることを含む、加力アセンブリと
を含む、ポンプと、
前記ポンプの下流にあり、前記ポンプと流体連通する分注アセンブリであって、前記分注アセンブリは、
弾性分注チャンバと、
前記分注チャンバの容積に関するパラメータを定量的に測定するためのセンサと、
前記測定されたパラメータに基づいて、前記ポンプの作動を制御するために、前記センサと前記ポンプとに連結された制御ループと
を含む、分注アセンブリと
を含む、流体を送達するための装置。
【請求項２４】
前記測定されたパラメータに基づいて前記ポンプの作動を制御するために、前記センサと前記ポンプとに連結された制御ループであって、前記測定されたパラメータに基づいて、前記出口を通して送達された流体の累積容積を決定する制御装置を含む、制御ループと
をさらに含む、請求項２３に記載の装置。
【請求項２５】
前記加力アセンブリは、前記加力アセンブリの動作のためのモータをさらに含む、請求項２３に記載の装置。
【請求項２６】
前記モータは、少なくとも１つの形状記憶アクチュエータを含む、請求項２３に記載の装置。
【請求項２７】
前記流体源は、非加圧流体源を含む、請求項２３に記載の装置。
【請求項２８】
音響的に連続する領域内で気体を音響的に励起し、該領域内で音響応答を生じさせる音響エネルギ源であって、前記領域は、
前記分注チャンバに連結されるサブ領域であって、前記分注チャンバの容積変化により前記サブ領域の容積変化を生じさせる、サブ領域と、
プロセッサと
をさらに含む、請求項２３に記載の装置。
【請求項２９】
前記センサは、前記音響的に連続する領域内の第１の位置に載置され、前記音響応答に基づいて、電気信号を生成するための第１の音響変換器をさらに含む、請求項２８に記載の装置。
【請求項３０】
前記プロセッサは、前記第１の音響変換器と前記基準器に連結され、前記プロセッサは、前記音響応答に基づいて、前記サブ領域の容積変化に関する量を決定するための流量判断プロセスを実装する、請求項２９に記載の装置。
【請求項３１】
前記音響エネルギ源はある周波数において前記気体を励起させ、前記第１の音響変換器によって生成された電気信号は、前記基準器に対する位相関係を有し、前記流量判断プロセスは、前記位相関係の時間的新化に基づいて前記サブ領域の容積変化に関する量を決定する、請求項３０に記載の装置。
【請求項３２】
前記音響エネルギ源は単一周波数において前記気体を励起する、請求項３１に記載の装置。